(57)【要約】【課題】  ナノメーターサイズの帯電微粒子水により空気中に浮遊した臭い成分及び車内の壁面等に付着した臭い成分を直接除去することができて効果的な脱臭が行え、またこの帯電微粒子水による車内の脱臭を低コストで実現できるようにする。【解決手段】  車両に備え付けた車両用空気調和装置１は、一端が車外又は車内のいずれかに連通する吸込口となり且つ他端が車内に連通する吹出口５となった空気流路４と、吸込口から車外の空気又は車内の空気を吸い込むと共にこの空気を前記吹出口５から車内に向けて吹き出す送風手段と、吸込口から吸い込まれた空気流路４内の空気を温度調節する温度調節手段と、を有する。この車両用空気調和装置１内にナノメータサイズの帯電微粒子水Ｍを生成する静電霧化装置３を設ける。【選択図】  図１
2006151046.tif 000002
【特許請求の範囲】
【請求項１】
一端が車外又は車内のいずれかに連通する吸込口となり且つ他端が車内に連通する吹出口となった空気流路と、前記吸込口から車外の空気又は車内の空気を吸い込むと共にこの空気を前記吹出口から車内に向けて吹き出す送風手段と、前記吸込口から吸い込まれた空気流路内の空気を温度調節する温度調節手段と、を有する車両に備え付けた車両用空気調和装置内に、放電部と、該放電部と対向する対向電極と、放電部に水を供給する水供給手段と、放電部と対向電極との間に高電圧を印加する電圧印加部とを具備して、電圧印加部にて前記放電部と対向電極との間に高電圧を印加することで放電部の水を霧化してナノメータサイズの帯電微粒子水を生成する静電霧化装置を設けて成ることを特徴とする車両用空気調和装置。
【請求項２】
上記空気流路の送風手段よりも下流側を、下流端に車内に連通する主吹出口を有する主流路と、該主流路から分岐して下流端に車内に連通する副吹出口を有する副流路とで構成し、上記静電霧化装置を副流路に配設してなることを特徴とする請求項１に記載の車両用空気調和装置。
【請求項３】
上記静電霧化装置の水供給手段を空気中の水分を結露させることで放電部に供給される水を生成する結露水生成手段で構成して成ることを特徴とする請求項１又は請求項２に記載の車両用空気調和装置。
【請求項４】
上記温度調節手段として空気流路に空気を加熱する加熱手段を設け、空気流路の加熱手段よりも上流側の空気に曝される位置に上記結露水生成手段を配設して成ることを特徴とする請求項３に記載の車両用空気調和装置。
【発明の詳細な説明】
【技術分野】
【０００１】
本発明は車両に備えた車両用空気調和装置に関する。
【背景技術】
【０００２】
乗用車等の車両にあっては車内が密閉空間となっているため車内に煙草等の臭いがこもるという問題があり、従来この車内の臭いの除去には例えば特許文献１に示すような可搬式の空気浄化装置が車内に設置されて用いられていた。
【０００３】
この空気浄化装置は、外殻を形成するケース内に一端が吸込口となり且つ他端が吹出口となった空気流路を形成し、該空気流路に車内空気を吸込口から吸い込むと共にこの空気を吹出口から再び車内に吹き出すファンと、フィルタとを備えたものであって、ファンを駆動してフィルタにて車内の空気をろ過することで車内の空気を浄化するものである。
【０００４】
しかし上記ファンや空気流路等を備えた空気浄化装置を車内に別途設けることはコストがかかるという問題があり、また上記空気浄化装置にあっては、車内の空気中に浮遊している臭い成分や、車内の壁面等に付着した臭い成分を直接除去することができず、効果的な脱臭が行えなかった。
【特許文献１】特表平１１−５０６０４９号公報
【発明の開示】
【発明が解決しようとする課題】
【０００５】
本発明は上記従来の問題点に鑑みて発明したものであって、ナノメーターサイズの帯電微粒子水により空気中に浮遊した臭い成分及び車内の壁面等に付着した臭い成分を直接除去することができて効果的な脱臭が行え、またこの帯電微粒子水による臭いの除去は空調時に同時に行うことができ、さらにはこの帯電微粒子水による車内の脱臭を低コストで実現できる車両用空気調和装置を提供することを課題とするものである。
【課題を解決するための手段】
【０００６】
上記課題を解決するために本発明に係る車両用空気調和装置１は、一端が車外又は車内のいずれかに連通する吸込口となり且つ他端が車内に連通する吹出口５となった空気流路４と、前記吸込口から車外の空気又は車内の空気を吸い込むと共にこの空気を前記吹出口５から車内に向けて吹き出す送風手段と、前記吸込口から吸い込まれた空気流路４内の空気を温度調節する温度調節手段とを有する車両に備え付けた車両用空気調和装置１内に、放電部１２ｂと、該放電部１２ｂと対向する対向電極１３と、放電部１２ｂに水を供給する水供給手段と、放電部１２ｂと対向電極１３との間に高電圧を印加する電圧印加部１５とを具備して、電圧印加部１５にて前記放電部１２ｂと対向電極１３との間に高電圧を印加することで放電部１２ｂの水を霧化してナノメータサイズの帯電微粒子水Ｍを生成する静電霧化装置３を設けて成ることを特徴とする。
【０００７】
このように車両用空気調和装置１内にナノメータサイズの帯電微粒子水Ｍを生成する静電霧化装置３を設けているので、送風手段及び静電霧化装置３を同時に運転して、送風手段の運転により発生する空気流にのせて静電霧化装置３で生成した帯電微粒子水Ｍを車内に行き渡らせることができ、この帯電微粒子水Ｍが有する活性種の作用により、空気中に浮遊した臭い成分及び車内の壁面等に付着した臭い成分を直接除去することができる。またこの帯電微粒子水Ｍによる臭いの除去は空調時に同時に行うことができる。さらにはこの場合、車両に備え付けの車両用空気調和装置１に設けた空気流路４及び送風手段を静電霧化装置３で生成した帯電微粒子水Ｍを車内へ送るための手段として兼用でき、上記帯電微粒子水Ｍによる車内の脱臭を低コストで実現できる。
【０００８】
また請求項２は請求項１において、上記空気流路４の送風手段よりも下流側を、下流端に車内に連通する主吹出口５ａを有する主流路３５と、該主流路３５から分岐して下流端に車内に連通する副吹出口５ｂを有する副流路３６とで構成し、上記静電霧化装置３を副流路３６に配設してなることを特徴とする。
【０００９】
このように副流路３６に静電霧化装置３を配設することで、送風手段の運転時において空気の流れが遅い副流路３６に静電霧化装置３の放電部１２ｂを配置することができ、これにより放電部１２ｂに保持された水が安定し、放電部１２ｂにおいて安定して帯電微粒子水Ｍを生成できる。
【００１０】
また請求項３は請求項１又は請求項２において、上記静電霧化装置３の水供給手段を空気中の水分を結露させることで放電部１２ｂに供給される水を生成する結露水生成手段で構成して成ることを特徴とする。
【００１１】
静電霧化装置３は車両用空気調和装置１内に配設されているため水の補給が困難であるが、上記結露水生成手段を設けることで、自動的に静電霧化装置３の帯電微粒子水Ｍの生成に用いられる水を放電部１２ｂに供給することができ、水の補給の手間が省ける。
【００１２】
また請求項４は上記温度調節手段として空気流路４に空気を加熱する加熱手段を設け、空気流路４の加熱手段よりも上流側の空気に曝される位置に上記結露水生成手段を配設して成ることを特徴とする。
【００１３】
上記のように加熱手段にて加熱されない位置に結露水生成手段を配設することで、加熱手段を加熱した暖房運転時においても、加熱手段により加熱されていない結露点に近い温度にある空気から結露水生成手段にて結露水を生成することができ、これにより結露水を効率良く得ることができる。
【発明の効果】
【００１４】
本発明ではナノメーターサイズの帯電微粒子水により空気中に浮遊した臭い成分及び車内の壁面等に付着した臭い成分を直接除去することができて効果的な脱臭が行え、またこの帯電微粒子水による臭いの除去は空調時に同時に行うことができ、さらにはこの帯電微粒子水による車内の脱臭を低コストで実現できる。
【発明を実施するための最良の形態】
【００１５】
以下、本発明を添付図面に示す実施形態に基いて説明する。図１は本実施形態の車両用空気調和装置１であって、ダッシュボード内に組み込まれる等して車両に備え付けられている。
【００１６】
車両用空気調和装置１は空調ダクトからなる空気流路４を備えている。空気流路４の一端は吸込口（図示せず）となっており、他端は車内に連通する吹出口５となっている。ここで吸込口は切換手段（図示せず）により車外又は車内のいずれかに切り換えて選択的に連通可能となっている。また吹出口５には空気流路４から吹き出される空気の吹き出し方向を変更するルーバー（図示せず）が設けられている。
【００１７】
上記吸込口と吹出口５とを連通接続する空気流路４には吸込口から車外の空気又は車内の空気を吸い込むと共にこの空気を吹出口５から車内に向けて吹き出す送風手段としてブロワファン６を設けている。
【００１８】
空気流路４における上記ブロワファン６よりも下流側には、空気流路４内の空気を冷却する冷却手段としてのエバポレーター７と、空気流路４内の空気を加熱する加熱手段としてのヒーター８とを上流側から順に設けてあり、本実施形態ではこのエバポレーター７とヒーター８とが吸込口から空気流路４内に吸い込まれた空気を温度調節する温度調節手段を構成している。
【００１９】
エバポレーター７は図示しないコンプレッサ及びコンデンサを設けた冷媒が流れる冷房用冷媒循環路９に設けてあって冷凍サイクルを形成するもので、コンプレッサでガス状の冷媒を圧縮してコンデンサへと送り、コンデンサでガス状の冷媒が凝縮されてエバポレーター７へと送られ、この液状の冷媒がエバポレーター７にて空気流路４内の空気と熱交換して熱を吸収し、この際液状の冷媒は熱吸収により蒸発してガス状の冷媒となり、このガス状の冷媒を再度コンプレッサへと送り、以下、このような冷媒の状態変化を伴う循環を繰り返すことで、エバポレーター７は冷却されるものである。またヒーター８は図示しない電動ポンプを設けたエンジンの冷却水が流れる暖房用冷媒循環路１０に設けてあって、電動ポンプによりエンジンにて加熱された冷媒としての冷却水をヒーター８に送り、該冷媒の熱により空気流路４内の空気を加熱するものである。
【００２０】
上記エバポレーター７とヒーター８とブロワファン６は図示しない車両に設けた操作パネルの操作状態に応じてその運転の制御がなされ、搭乗者は操作パネルを操作することで、車内の冷房を行ったり、車内の暖房を行ったりできるようになっている。また操作パネルの操作状態により吸込口から吸い込まれる空気を車外の空気又は車内の空気のいずれかに選択できるようになっている。
【００２１】
操作パネルの操作によって車内の冷房が選択された際は、エバポレーター７が冷却されると共にブロワファン６が運転され、これにより吸込口からは車内の空気又は車外の空気のうち選択されたいずれか一方の空気が吸い込まれ、この吸い込まれた空気はエバポレーター７にて冷却された後、吹出口５から車内に向けて吹き出されることとなる。また車内の暖房が選択された際はヒーター８が加熱されると共にブロワファン６が運転され、これにより吸込口からは車内の空気又は車外の空気のうち選択された空気が吸い込まれ、この吸い込まれた空気はヒーター８にて加熱された後、吹出口５から車内に向けて吹き出されることとなる。また暖房時には上記ヒーター８に加えてエバポレータを冷却することで車内の除湿を行えるようにもなっている。
【００２２】
そして上記車両用空気調和装置１内にはブロワファン６の運転により生じる空気流に向けて活性種を含むナノメータサイズの帯電微粒子水Ｍを放出する静電霧化装置３を設けてあり、本例では図１に示すように空気流路４のヒーター８よりも下流側である下流側端部に静電霧化装置３を配設している。ここで静電霧化装置３は後述する放熱部１１を下にしてねじ止め又は両面テープ等により空気流路４の内面に固定されているものとする。
【００２３】
静電霧化装置３は図２及び図３に示すように、放電極１２と、該放電極１２の先端に形成した尖鋭形状の放電部１２ｂと対向する対向電極１３と、放電部１２ｂに水を供給する水供給手段と、放電部１２ｂと対向電極１３との間に高電圧を印加する高圧電源からなる電圧印加部１５とを具備するものであって、放電部１２ｂ（放電極１２）と対向電極１３との間に高電圧を印加してコロナ放電を起こすことで、水供給手段から放電部１２ｂに供給された水を放電部１２ｂにおいて静電霧化してナノメータサイズの帯電微粒子水Ｍを生成するものである。ここで静電霧化装置３の電源はバッテリーから直接、又はイグニッションラインから分岐して供給されるものとする。
【００２４】
上記水供給手段は放熱部１１と冷却部１７とを有するペルチェユニット１６からなり、本実施形態では該ペルチェユニット１６を結露水生成手段としている。冷却部１７によりペルチェユニット１６の冷却部１７側に接続された放電極１２を冷却することで、放電極１２の放電部１２ｂの外面に空気流路４の空気から結露した水を生成するものである。
【００２５】
ペルチェユニット１６は、熱伝導性の高いアルミナや窒化アルミニウムから成る絶縁板１８の片面側に回路１９を形成してある一対のぺルチェ回路板２０を、互いの回路１９側が向い合うように対向させ、多数列設してあるＢｉＴｅ系の熱電素子２１を両ぺルチェ回路板２０間で挟持するとともに隣接する熱電素子２１同士を両側の回路１９で電気的に接続させ、ぺルチェ入力リード線２２を介して為される熱電素子２１への通電により一方のぺルチェ回路板２０側から他方のぺルチェ回路板２０側に向けて熱が移動するように設けたものである。上記一方の側（以下、冷却側という）のぺルチェ回路板２０の外側にはアルミナや窒化アルミニウム等から成り高熱伝導性及び高耐電性の高い冷却用絶縁板２３を接続してあり、上記他方の側（以下、放熱側という）のぺルチェ回路板２０の外側にはアルミニウム等の金属から成る高熱伝導性の放熱板２４を接続している。即ち本例においては冷却側のぺルチェ回路板２０の絶縁板１８と冷却用絶縁板２３とで冷却部１７を形成し、放熱側のぺルチェ回路板２０の絶縁板１８と放熱板２４とで放熱部１１を形成してある。
【００２６】
上記ペルチェユニット１６にはＰＢＴ樹脂やポリカーボネートやＰＰＳ樹脂等の絶縁材料からなる両端の貫通した筒状の支持枠２５の一端側を連結してあり、該支持枠２５の他端に対向電極１３を支持させることで、放電極１２と対向電極１３とを所定間隔を隔てて互いに対向する位置に固定させている。該支持枠２５の一端側の開口部の外周縁にはその全周に亘って連結用のフランジ部２６を突設するとともに、他端側の開口部（以下、これをミスト吐出口２７という）には対向電極１３を位置させている。上記フランジ部２６には周方向に等間隔を隔てて複数のねじ孔２８を貫設しており、ねじ孔２８を介してフランジ部２６を放熱板２４の周縁部にねじ止めすることで支持枠２５をぺルチェユニット１６に連結させている。支持枠２５の内周面からはその内部空間を放電空間Ｓ１と封止空間Ｓ２とに二分割する隔壁２９を延設しており、この隔壁２９の中央には両空間Ｓ１，Ｓ２を連通させる連通孔３０を穿設している。
【００２７】
上記放電極１２は、アルミニウムや銅、タングステン、チタン、ステンレス等の熱伝導性及び導電性の高い材料を用いてその主体部１２ａが円柱状を成すように形成したものであり、主体部１２ａの先端に前述の尖鋭形状の放電部１２ｂを形成し、基端に主体部１２ａよりも大径の被挟持部１２ｃを形成している。支持枠２５をぺルチェユニット１６に連結する際に、上記放電極１２の主体部１２ａを連通孔３０に嵌合させるとともに放電部１２ｂ側を放電空間Ｓ１内に位置させ、被挟持部１２ｃを封止空間Ｓ２内に位置させることで、支持枠２５の隔壁２９と放熱板２４との間に放電極１２の被挟持部１２ｃ及びペルチェユニット１６の冷却用絶縁板２３及び両ペルチェ回路板２０及び熱電素子２１を挟み込むものであり、この挟み込みによって放電極１２がぺルチェユニット１の冷却部１７側に押圧されて接合状態となる。なお図中の符号３１は支持枠２５と冷却用絶縁板２３との間、支持枠２５と放電極１２との間に配設したエポキシ樹脂から成る封止樹脂である。
【００２８】
支持枠２５の放電空間Ｓ１内に放電極１２の放電部１２ｂ側の半部が位置し、支持枠２５の先端に支持される対向電極１３がこの放電部１２ｂと所定距離を隔てて対向する位置に固定されることは上記した通りであるが、更に、支持枠２５の放電空間Ｓ１側の周側壁には通風口３２を複数開口させており、放電空間Ｓ１は対向電極１３のミスト吐出口２７と通風口３２とを介して外部空間に連通する状態となっている。図中の符号３３は、支持枠２５の放電空間Ｓ１内にて一端側が放電極１２に接続されるとともに他端側が支持枠２５外に引き出されて電圧印加部１５に接続されるように金属又は導電性プラスチックを用いて形成した高圧リード線であり、この高圧リード線３３を介して放電極１２と電気的に接続された電圧印加部１５を更に対向電極１３と電気的に接続させることで、両電極４，６間に高電圧が印加されるように設けている。
【００２９】
しかして上記構成の静電霧化装置３において、支持枠２５と放熱板２４の連結により封止状態にある熱電素子２１に対してぺルチェ入力リード線２２を介して通電を行うと、各熱電素子２１内において同一方向への熱の移動が生じ、この熱移動の冷却側に接続される冷却部１７を介して放電極１２が冷却され、支持枠２５の放電空間Ｓ１内において放電極１２の周囲の空気が冷却されることで、空気中の水分が結露等により液化されて放電極１２表面に水が生成される。そして、放電極１２の特に放電部１２ｂに水が生成され且つ保持された状態で、電圧印加部１５により放電極１２の放電部１２ｂ側がマイナス電極となって電荷が集中するように該放電極１２と対向電極１３との間に高電圧を印加すると、放電部１２ｂに保持される水が大きなエネルギーを受けて表面張力を超えて分裂を繰り返すという所謂レイリー分裂を起こしてナノメータサイズ（例えば１０〜３０ナノメータ）の粒子径のイオンのミストである帯電微粒子水Ｍを発生させる静電霧化がなされ、この時、同時に生成された反応性に富む活性種（ヒドロキシラジカル、スーパーオキサイド等の脱臭・除菌の源となる物質）が、分裂した水に含まれ空気中に飛び出す。この活性種を含む帯電微粒子水Ｍは放電極１２と対向して位置する対向電極１３に向けて移動し、ミスト吐出口２７内に固定される対向電極１３の中央穴を通過して静電霧化装置３の外部へと放出される。支持枠２５の放電空間Ｓ１内の放電極１２の周囲には通風口３２を介して常に新たな外気が導入され、したがって放電極１２部分には安定的に水が生成されるので、帯電微粒子水Ｍは安定的に発生させることが可能となっている。この通風口３２から支持枠２５内に導入されてミスト吐出口２７から吐出される空気の流れに乗って、帯電微粒子水Ｍは外部へと勢い良く誘引されるものである。
【００３０】
上述した静電霧化装置３は操作パネルの操作によりそのＯＮ／ＯＦＦの切り換えが制御されるものであって、これにより搭乗者は操作パネルを操作して車内の脱臭を行うか否かを選択できるようになっている。操作パネルが操作されて車内の脱臭を行うことが選択された場合には、ブロワファン６及び静電霧化装置３の運転（具体的には放電部１２ｂ及び対向電極１３間への電圧の印加及びペルチェユニット１６の熱電素子２１への通電）が開始される。これにより静電霧化装置３では前述のようにナノメータサイズの帯電微粒子水Ｍが生成され、該静電霧化装置３で生成されたナノメーターサイズの帯電微粒子水Ｍが空気流路４を流れる空気に乗って吹出口５から車内に向けて放出されることとなる。なお冷房時又は暖房時にあってはブロワファン６は運転状態にあるので、この際に車内の脱臭を行うことが選択された場合には静電霧化装置３のみが運転を開始することは勿論である。また上記では操作パネルの操作により静電霧化装置３の運転を制御できるようにしたが、前述した冷房時や暖房時においてブロワファン６の運転と同時に静電霧化装置３を自動的に運転するように制御しても良いものとする。
【００３１】
このように本発明では車両用空気調和装置１内にナノメータサイズの帯電微粒子水Ｍを生成する静電霧化装置３を設けているので、ブロワファン６及び静電霧化装置３を同時に運転して、ブロワファン６の運転により発生する空気流にのせて静電霧化装置３で生成した帯電微粒子水Ｍを車内に行き渡らせることができ、この帯電微粒子水Ｍが有する活性種の作用により、空気中に浮遊した臭い成分を直接除去することができる。また吹出口５から吹き出されて車内に行き渡った帯電微粒子水は車内の壁面に付着した後、浸透することとなり、この壁面に浸透した帯電微粒子水が有する活性種により車内の壁面の脱臭も効果的に行える。またこの帯電微粒子水Ｍによる臭いの除去は車両用空気調和装置１の温度調節手段による空調時に同時に行うことができる。さらにはこの場合、車両に備え付けの車両用空気調和装置１に設けた空気流路４及びブロワファン６を静電霧化装置３で生成した帯電微粒子水Ｍを車内へ送るための手段として兼用でき、低コストで上記車内の脱臭を実現できる。
【００３２】
また本例の静電霧化装置３においては、静電霧化する為の水を放電部１２ｂに供給する水供給手段として、冷却部１７と放熱部１１とを有するぺルチェユニット１６を備えて該ぺルチェユニット１６の冷却部１７側に放電極１２を接続してあるので、ペルチェユニット１６の冷却部１７を冷却した場合には放電部１２ｂの周囲の空気が結露点以下にまで冷却されて空気中の水分を基に放電極１２の放電部１２ｂに水が直接生成されることとなり、これにより使用者自身が水を補給する手間が不要であるとともに、生成された水には不純物が含まれないことから放電部１２ｂにおけるＣａＣＯ３やＭｇＯ等の析出付着が防止されるものである。しかも、水が放電極１２の放電部１２ｂに直接生成されることから、静電霧化装置３の運転を開始（即ち、熱電素子２１への通電を開始）してから帯電微粒子水Ｍを発生させるまでの時間が短くて済む。
【００３３】
また前述したように吸込口から吸い込まれる空気は操作パネルを操作することで車外又は車内のいずれかに選択できるようになっており、即ち吸込口から車外の空気を吸い込んで吹出口５から車外の新鮮な空気を吹き出すことと、吸込口から車内の空気を吸い込んで車内の空気を循環させることとを選択的に行えるようになっているのだが、ここで脱臭時において吸込口を車外に連通させた場合には、車内に車外の臭いが付いていない新鮮な空気を送ることにより脱臭効果を高められる。即ち、壁面やシートまで届く帯電微粒子水Ｍの活性種の量が多くなるので、付着臭に対する除去効果が増すことになる。一方、吸込口から車内の空気を吸い込んで車内の空気を循環させる場合において車内の空気が臭い成分を多く含んでいる時は、帯電微粒子水Ｍ内の活性種のいくつかは、壁面やシートに届く間に車内で浮遊している臭い成分と結合して消滅するが、帯電微粒子水Ｍ内の残りの活性種によって壁面やシートの付着臭を除去することになる。従ってより壁面やシートの付着臭を主に除去したい場合には、吸込口を車外に連通するように切り換えるようにしても良い。またこのように脱臭時において吸込口から車外の空気を吸い込んだ場合には、上記ペルチェユニット１６にて臭いが付着していない新鮮な車外の空気から臭いの付着していない結露水を得ることができるという効果もある。また脱臭時においては吸込口を車内に連通させることもでき、この場合には温度調節手段による車内の空調を効果的に行うことができたり、吸込口から吸い込まれる車外の空気に臭いが付着している時に車内を効果的に脱臭したりできる。なお上記静電霧化装置３を運転した脱臭時においては自動的に吸込口から吸い込まれる空気を車外の空気とするように制御しても良いものとする。
【００３４】
次に上記とは異なる実施形態について説明する。なお上記図１の実施形態と同一の構成については同一の番号を付与してあり、重複する説明については説明を省略する。本実施形態では図４に示すようにペルチェユニット１６を空気流路４におけるヒーター８よりも上流側の空気に曝される位置に設けてあり、図示例ではペルチェユニット１６を有する静電霧化装置３を空気流路４におけるヒーター８よりも上流側に配置している。このようにペルチェユニット１６を空気流路４におけるヒーター８よりも上流側の空気に曝される位置に設けることで、ヒーター８を加熱した暖房運転時において、加熱手段により加熱されていない結露点に近い温度にある空気からペルチェユニット１６にて結露水を生成することができ、これにより結露水を効率良く得ることができる。さらに前述したようにペルチェユニット１６を有する静電霧化装置３をエバポレーター７よりも下流側に配置しているため、エバポレータ７を冷却した冷房運転時において、エバポレーター７により冷却された結露点に近い温度にある空気からペルチェユニット１６にて結露水を生成することができ、この場合にも結露水を効率良く得ることができる。
【００３５】
次に上記とは更に異なる実施形態について説明する。なお上記図１の実施形態と同一の構成については同一の番号を付与してあり、重複する説明については説明を省略する。本実施形態では図５に示すように空気流路４のブロワファン６よりも下流側を、ブロワファン６の送風方向と平行な主流路３５と、該主流路３５から分岐した主流路３５よりも流路面積の小さい副流路３６とで構成している。主流路３５は主流路３５よりも上流側の部分を直線状に延設して成る流路であり主流路３５よりも上流側の部分と流路面積が同じである。主流路３５の下流端には車内に連通する主吹出口５ａを設けてあって、また副流路３６の下流端には車内に連通する副吹出口５ｂを設けてあり、本例では前記主吹出口５ａと副吹出口５ｂとで吹出口５を構成している。また主流路３５には上流側から順にエバポレーター７及びヒーター８を設けてあり、副流路３６は主流路３５におけるエバポレーター７よりも下流側且つヒーター８よりも上流側の位置から分岐している。そして静電霧化装置３は前記副流路３６の下流側端部に配設されている。なお図示は省略するが主吹出口５ａ及び副吹出口５ｂの夫々には空気の吹き出し方向を変更するルーバーが設けられており、各ルーバにより主吹出口５ａからの空気の吹出量と副吹出口５ｂからの空気の吹出量との割合を調節できるようになっている。
【００３６】
このように空気流路４のブロワファン６よりも下流側を、下流端に車内に連通する主吹出口５ａを有する主流路３５と、該主流路３５から分岐して下流端に車内に連通する副吹出口５ｂを有する副流路３６とで構成し、静電霧化装置３を副流路３６に配設することで、ブロワファン６の運転時において空気の流れが遅い副流路３６に静電霧化装置３の放電部１２ｂを配置することができ、これにより放電部１２ｂに保持された水が安定し、放電部１２ｂにおいて安定して帯電微粒子水Ｍを生成できる。
【００３７】
また本実施形態における静電霧化装置３はヒータ８の上流側より分岐した副流路３６に設けてあって、つまり上記図４の実施形態と同様に、静電霧化装置３のペルチェユニット１６を空気流路４におけるヒーター８よりも上流側の空気に曝される位置に設けてあり、このため上記図４の実施形態と同様の理由により結露水を効率良く得ることができる。
【図面の簡単な説明】
【００３８】
【図１】本発明の実施の形態の一例を示す車両用空気調和装置の概略説明図である。
【図２】同上の静電霧化装置の断面図である。
【図３】同上の静電霧化装置を示し、（ａ）は斜視図であり、（ｂ）は平面図である。
【図４】異なる実施の形態の一例を示す車両用空気調和装置の概略説明図である。
【図５】更に異なる実施の形態の一例を示す車両用空気調和装置の概略説明図である。
【符号の説明】
【００３９】
Ｍ  帯電微粒子水
１  車両用空気調和装置
３  静電霧化装置
４  空気流路
５  吹出口
５ａ主吹出口
５ｂ副吹出口
１２ｂ  放電部
１３  対向電極
１５  電圧印加部
３５  主流路
３６  副流路
【図１】
2006151046.tif 000003
【図２】
2006151046.tif 000004
【図３】
2006151046.tif 000005
【図４】
2006151046.tif 000006
【図５】
2006151046.tif 000007